【手続補正書】
【提出日】平成16年12月24日(2004.12.24)
【手続補正１】
【補正対象書類名】明細書
【補正対象項目名】発明の名称
【補正方法】変更
【補正の内容】
【発明の名称】通信装置及び制御方法
【手続補正２】
【補正対象書類名】明細書
【補正対象項目名】特許請求の範囲
【補正方法】変更
【補正の内容】
【特許請求の範囲】
【請求項１】
ネットワークに接続可能な通信装置であって、
デジタル情報を入力する入力手段と、
前記入力手段により入力されたデジタル情報のコピーが禁止されているか否かを判別する判別手段とを有し、
前記入力手段により入力されたデジタル情報を前記ネットワークにブロードキャストする第１の送信処理と、
前記判別手段の判別結果に応じて、前記ネットワークを構成する複数の機器に対してその機器の有する記録機能を制御するコマンドを送信する第２の送信処理とを有することを特徴とする通信装置。
【請求項２】
前記第１の送信処理は、前記入力手段により入力されたデジタル情報をIsochronous転送で送信する処理を含むことを特徴とする請求項１に記載の通信装置。
【請求項３】
前記第２の送信処理は、前記コマンドをAsynchronous転送で送信する処理を含むこと特徴とする請求項１または２に記載の通信装置。
【請求項４】
前記第２の送信処理は、前記コマンドをIsochronous転送で送信する処理を含むことを特徴とする請求項１または２に通信装置。
【請求項５】
前記判別手段は、前記ネットワーク上に前記デジタル情報の記録が可能か機能を有する機器があるか否かを判別することを特徴とする請求項１から４のいずれかに記載の通信装置。
【請求項６】
前記通信装置は、前記ネットワークの接続構成の変化を検出する検出手段を有し、
前記検出手段が前記ネットワークの接続構成の変化を検出した場合には、再び前記判別手段の判別結果に基づいて前記コマンドを送信することを特徴とする請求項１から５のいずれかに記載の通信装置。
【請求項７】
ネットワークに接続可能な通信装置であって、
デジタル情報を入力する入力手段と、
前記ネットワークに接続された機器の有する記録機能を制御するコマンドを生成する生成手段と、
前記入力手段により入力された所定量のデジタル情報と前記生成手段により生成されたコマンドとを１つのパケットにパケッタイズするパケット化手段と、
前記パケット化手段にて生成されたパケットを前記ネットワークに送信する送信手段とを有することを特徴とする通信装置。
【請求項８】
前記パケット化手段は、前記入力手段により入力されたデジタル情報をIsochronous転送用のパケットにパケッタイズすることを特徴とする請求項７に記載の通信装置。
【請求項９】
前記デジタル情報は、コピーの禁止されたデジタル情報であることを特徴とする請求項７または８に記載の通信装置。
【請求項１０】
ネットワークに接続可能な通信装置であって、
デジタル情報を入力する入力手段と、
前記ネットワークに接続された機器の有する記録機能を制御するコマンドを生成する生成手段と、
前記入力手段により入力された所定量のデジタル情報と前記生成手段により生成されたコマンドとを異なるパケットにパケッタイズするパケット化手段と、
前記パケット化手段にて生成された各パケットを１通信サイクル期間内において時分割多重させて送信する送信手段とを有することを特徴とする通信装置。
【請求項１１】
前記パケット化手段は、前記入力手段により入力されたデジタル情報をIsochronous転送用のパケットにパケッタイズすることを特徴とする請求項１０に記載の通信装置。
【請求項１２】
前記パケット化手段は、前記生成手段により生成されたコマンドをAsynchronous転送用のパケットにパケッタイズすることを特徴とする請求項１０又は１１に記載の通信装置。
【請求項１３】
前記デジタル情報は、コピーの禁止されたデジタル情報であることを特徴とする請求項１０から１２のいずれかに記載の通信装置。
【請求項１４】
ネットワークに接続可能な通信装置の制御方法であって、
デジタル情報を入力し、
入力された前記デジタル情報のコピーが禁止されているか否かを検出し、
入力された前記デジタル情報のコピーが禁止されている場合、前記ネットワークを構成する複数の機器に対してその機器の有する記録機能を制御するコマンドを送信すると共に、該デジタル情報を該ネットワークにブロードキャストすることを特徴とする制御方法。
【請求項１５】
ネットワークに接続可能な通信装置の制御方法であって、
デジタル情報を入力し、
前記ネットワークに接続された機器の有する記録機能を制御するコマンドを生成し、
入力された所定量のデジタル情報と生成された前記コマンドとを１つのパケットにパケッタイズし、
パケッタイズされた前記パケットを前記ネットワークに送信することを特徴とする制御方法。
【請求項１６】
ネットワークに接続可能な通信装置の制御方法であって、
デジタル情報を入力し、
前記ネットワークに接続された機器の有する記録機能を制御するコマンドを生成し、
入力された所定量のデジタル情報と生成された前記コマンドとを異なるパケットにパケッタイズし、
パケッタイズされた前記異なるパケットの夫々を１通信サイクル期間内において時分割多重させて送信することを特徴とする制御方法。
【手続補正３】
【補正対象書類名】明細書
【補正対象項目名】０００１
【補正方法】変更
【補正の内容】
【０００１】
【発明の属する技術分野】
本発明は、ネットワークに接続可能な通信装置及びその制御方法に関する。
【手続補正４】
【補正対象書類名】明細書
【補正対象項目名】０００８
【補正方法】変更
【補正の内容】
【０００８】
そこで、本発明は、コピーの禁止或いは制限されたデジタル情報の記録を防止できるようにすることを目的とする。
【手続補正５】
【補正対象書類名】明細書
【補正対象項目名】０００９
【補正方法】変更
【補正の内容】
【０００９】
【課題を解決するための手段】
本発明に係る通信装置の一つは、ネットワークに接続可能な通信装置であって、デジタル情報を入力する入力手段と、前記入力手段により入力されたデジタル情報のコピーが禁止されているか否かを判別する判別手段とを有し、前記入力手段により入力されたデジタル情報を前記ネットワークにブロードキャストする第１の送信処理と、前記判別手段の判別結果に応じて、前記ネットワークを構成する複数の機器に対してその機器の有する記録機能を制御するコマンドを送信する第２の送信処理とを有することを特徴とする。
【手続補正６】
【補正対象書類名】明細書
【補正対象項目名】００１０
【補正方法】変更
【補正の内容】
【００１０】
また、本発明に係る通信装置の一つは、ネットワークに接続可能な通信装置であって、デジタル情報を入力する入力手段と、前記ネットワークに接続された機器の有する記録機能を制御するコマンドを生成する生成手段と、前記入力手段により入力された所定量のデジタル情報と前記生成手段により生成されたコマンドとを１つのパケットにパケッタイズするパケット化手段と、前記パケット化手段にて生成されたパケットを前記ネットワークに送信する送信手段とを有することを特徴とする。
【手続補正７】
【補正対象書類名】明細書
【補正対象項目名】００１１
【補正方法】変更
【補正の内容】
【００１１】
また、本発明に係る通信装置の一つは、ネットワークに接続可能な通信装置であって、デジタル情報を入力する入力手段と、前記ネットワークに接続された機器の有する記録機能を制御するコマンドを生成する生成手段と、前記入力手段により入力された所定量のデジタル情報と前記生成手段により生成されたコマンドとを異なるパケットにパケッタイズするパケット化手段と、前記パケット化手段にて生成された各パケットを１通信サイクル期間内において時分割多重させて送信する送信手段とを有することを特徴とする。
【手続補正８】
【補正対象書類名】明細書
【補正対象項目名】００１２
【補正方法】変更
【補正の内容】
【００１２】
また、本発明に係る制御方法の一つは、ネットワークに接続可能な通信装置の制御方法であって、デジタル情報を入力し、入力された前記デジタル情報のコピーが禁止されているか否かを検出し、入力された前記デジタル情報のコピーが禁止されている場合、前記ネットワークを構成する複数の機器に対してその機器の有する記録機能を制御するコマンドを送信すると共に、該デジタル情報を該ネットワークにブロードキャストすることを特徴とする。
【手続補正９】
【補正対象書類名】明細書
【補正対象項目名】００１３
【補正方法】変更
【補正の内容】
【００１３】
また、本発明に係る制御方法の一つは、ネットワークに接続可能な通信装置の制御方法であって、デジタル情報を入力し、前記ネットワークに接続された機器の有する記録機能を制御するコマンドを生成し、入力された所定量のデジタル情報と生成された前記コマンドとを１つのパケットにパケッタイズし、パケッタイズされた前記パケットを前記ネットワークに送信することを特徴とする。
【手続補正１０】
【補正対象書類名】明細書
【補正対象項目名】００１４
【補正方法】変更
【補正の内容】
【００１４】
また、本発明に係る制御方法の一つは、ネットワークに接続可能な通信装置の制御方法であって、デジタル情報を入力し、前記ネットワークに接続された機器の有する記録機能を制御するコマンドを生成し、入力された所定量のデジタル情報と生成された前記コマンドとを異なるパケットにパケッタイズし、パケッタイズされた前記異なるパケットの夫々を１通信サイクル期間内において時分割多重させて送信することを特徴とする。
【手続補正１１】
【補正対象書類名】明細書
【補正対象項目名】００１５
【補正方法】削除
【補正の内容】
【手続補正１２】
【補正対象書類名】明細書
【補正対象項目名】００９９
【補正方法】変更
【補正の内容】
【００９９】
【発明の効果】
本発明によれば、コピーの禁止或いは制限されたデジタル情報の記録を防止することができる。
【手続補正１３】
【補正対象書類名】明細書
【補正対象項目名】０１００
【補正方法】削除
【補正の内容】